(57)【要約】      （修正有）【課題】表示中のリストから選択された項目がその項目の選択後に受け付けられた検索条件を満たす場合に、その検索条件による検索結果を表すリスト上でその項目を判別する情報処理装置及びプログラムを提供する。【解決手段】情報処理装置（プリントサーバ）は、表示中のリストに含まれる項目の選択を受け付ける第１受付手段１０１と、検索条件の設定を受け付ける第２受付手段１０２と、選択された項目が当該項目の選択後に設定された検索条件を満たす場合に、当該検索条件による検索結果を表し、且つ、当該項目が選択された状態が維持されるようにリストの表示を更新する更新手段１０３とを備える。【選択図】図３
2018018314.tif 000002
【特許請求の範囲】
【請求項１】
表示中のリストに含まれる項目の選択を受け付ける第１受付手段と、
検索条件の設定を受け付ける第２受付手段と、
選択された前記項目が当該項目の選択後に設定された前記検索条件を満たす場合に、当該検索条件による検索結果を表し、且つ当該項目が選択された状態が維持されるように、前記リストの表示を更新する更新手段と
を備える情報処理装置。
【請求項２】
前記更新手段は、前記リストがスクロールされた場合に、選択された前記項目を表示範囲内に配置する請求項１に記載の情報処理装置。
【請求項３】
前記第１受付手段によって選択された項目を示す選択情報を記憶する記憶手段を備え、
前記更新手段は、前記記憶手段を参照して前記リストの表示を更新した後、記憶されている前記選択情報を削除する請求項１又は２に記載の情報処理装置。
【請求項４】
前記更新手段は、選択された前記項目における文字の色と背景の色とを反転させる請求項１乃至３のいずれか１項に記載の情報処理装置。
【請求項５】
前記第１受付手段によって複数の前記項目が選択された場合に、前記更新手段は、選択の順序に応じて当該複数の項目を配置する請求項１乃至４のいずれか１項に記載の情報処理装置。
【請求項６】
前記更新手段は、選択された順序が遅い項目ほど優先的に表示させる請求項５に記載の情報処理装置。
【請求項７】
コンピュータを、
表示中のリストに含まれる項目の選択を受け付ける第１受付手段と、
検索条件の設定を受け付ける第２受付手段と、
選択された前記項目が当該項目の選択後に設定された前記検索条件を満たす場合に、当該検索条件による検索結果を表し、且つ当該項目が選択された状態が維持されるように、前記リストの表示を更新する更新手段
として機能させるためのプログラム。
【発明の詳細な説明】
【技術分野】
【０００１】
本発明は、情報処理装置及びプログラムに関する。
【背景技術】
【０００２】
特許文献１には、検索条件を満たす印刷装置を地図上に表示する技術が記載されている。具体的には、デバイス管理サーバは、クライアント端末との距離が決められた範囲内である印刷装置の検索を行う。デバイス管理サーバは、デバイス管理情報サブテーブルを作成する。デバイス管理情報サブテーブルには、検索で抽出された各印刷装置のデバイス名称、ＩＰアドレス、位置情報、クライアント端末との距離、機能情報（カラー印刷機能の有無、ステイプル機能の有無など）が含まれる。デバイス管理サーバは、作成したデバイス管理情報サブテーブルをクライアント端末へ送信する。クライアント端末は、操作表示部にデバイス検索画面を表示する。デバイス検索画面は、検索条件入力部とデバイス地図情報を含む。デバイス地図情報とは、クライアント端末の現在の位置を中心とした地図に、検索条件入力部に設定された検索条件を満たす印刷装置を示すデバイスアイコンを重ねたものである。
【０００３】
次に、クライアント端末は、検索条件入力部に検索条件が設定されたかを判断する。検索条件は、検索条件入力部に設けられた機能毎のチェックボックスをユーザがチェックすることで設定される。検索条件の設定がされたと判断された場合、クライアント端末は、デバイス管理情報サブテーブルから検索条件を満たす印刷装置を抽出し、デバイス地図情報を更新する。例えば、カラー印刷機能を使用したい場合には、ユーザは「カラー」のチェックボックスをチェックする。すると、クライアント端末は、カラー印刷機能を備える印刷装置のみを表示するようにデバイス地図情報を更新する。更新前に表示されていたデバイスアイコンのうち、カラー印刷機能を備えない印刷装置のデバイスアイコンは、カラー印刷機能を備える印刷装置と区別した形式で履歴として表示される。カラー印刷機能に加えてステイプル機能も使用したい場合には、ユーザは「カラー」に加えて「ステイプル」のチェックボックスをチェックする。すると、クライアント端末は、カラー印刷機能とステイプル機能の両方を備える印刷装置のみを表示するようにデバイス地図情報を更新する。更新前に表示されていたデバイスアイコンのうち、カラー印刷機能を備えるがステイプル機能を備えない印刷装置のデバイスアイコンは、カラー印刷機能とステイプル機能の両方を備える印刷装置と区別した形式で履歴として表示される。
【先行技術文献】
【特許文献】
【０００４】
【特許文献１】特開２０１５−１０８９６１号公報
【発明の概要】
【発明が解決しようとする課題】
【０００５】
表示中のリストに含まれる１以上の項目をポインティングデバイスを用いて選択することを想定する。表示されるリストは、例えば、情報処理装置に発生したエラーのリストや、スプーラに蓄積された印刷指示のリストや、実行済みの印刷指示のリストなど、情報処理装置から出力されるリストであればいかなるリストでもよい。選択された項目には、選択されていない項目と異なる外観（例えば、文字の色と背景の色との反転表示）が与えられ、選択された項目がその外観により判別される。なお、ここでいう「印刷指示」とは、例えばＰＤＬ（Page Description Language）のような印刷データ、あるいは印刷データに加えて当該印刷データを印刷出力する際の面付け処理などの出力態様を指定するための属性情報を含むデータ、いわゆる印刷ジョブを含んだ意味で用いられている。換言すると、印刷装置に対して印刷を指示する単なる命令を意味するものではない。
【０００６】
続いて、検索条件を設定して検索を実行すると、リストは、設定された検索条件を満たす項目のリストに更新される。検索の実行前に選択されていた項目は、その項目が検索条件を満たさない場合には当然のことながら更新後のリストには含まれないが、その項目が検索条件を満たしたとしても、更新後のリストにおいては外観の違いがなくなってしまうから、検索の実行前に選択されていた項目が判別できなくなる。
本発明は、表示中のリストから選択された項目がその項目の選択後に受け付けられた検索条件を満たす場合に、その検索条件による検索結果を表すリスト上でその項目を判別できるようにすることを目的とする。
【課題を解決するための手段】
【０００７】
請求項１に係る発明は、表示中のリストに含まれる項目の選択を受け付ける第１受付手段と、検索条件の設定を受け付ける第２受付手段と、選択された前記項目が当該項目の選択後に設定された前記検索条件を満たす場合に、当該検索条件による検索結果を表し、且つ当該項目が選択された状態が維持されるように、前記リストの表示を更新する更新手段とを備える情報処理装置を提供する。
請求項２に係る発明は、請求項１に記載の情報処理装置において、前記更新手段は、前記リストがスクロールされた場合に、選択された前記項目を表示範囲内に配置する。
請求項３に係る発明は、請求項１又は２に記載の情報処理装置において、前記第１受付手段によって選択された項目を示す選択情報を記憶する記憶手段を備え、前記更新手段は、前記記憶手段を参照して前記リストの表示を更新した後、記憶されている前記選択情報を削除する。
請求項４に係る発明は、請求項１乃至３のいずれか１項に記載の情報処理装置において、前記更新手段は、選択された前記項目における文字の色と背景の色とを反転させる。
請求項５に係る発明は、請求項１乃至４のいずれか１項に記載の情報処理装置において、前記第１受付手段によって複数の前記項目が選択された場合に、前記更新手段は、選択の順序に応じて当該複数の項目を配置する。
請求項６に係る発明は、請求項５に記載の情報処理装置において、前記更新手段は、選択された順序が遅い項目ほど優先的に表示させる。
請求項７に係る発明は、コンピュータを、表示中のリストに含まれる項目の選択を受け付ける第１受付手段と、検索条件の設定を受け付ける第２受付手段と、選択された前記項目が当該項目の選択後に設定された前記検索条件を満たす場合に、当該検索条件による検索結果を表し、且つ当該項目が選択された状態が維持されるように、前記リストの表示を更新する更新手段として機能させるためのプログラムを提供する。
【発明の効果】
【０００８】
請求項１、７に係る発明によれば、表示中のリストから選択された項目がその項目の選択後に受け付けられた検索条件を満たす場合に、その検索条件による検索結果を表すリスト上でその項目を判別することができる。
請求項２に係る発明によれば、リストがスクロールされても、選択された項目を判別することができる。
請求項３に係る発明によれば、記憶されている識別情報を削除する構成を備えない場合と比べて、記憶容量を節約することができる。
請求項４に係る発明によれば、文字の色と背景の色とを反転させない場合と比べて、選択された項目を判別しやすくすることができる。
請求項５に係る発明によれば、項目の選択の順序を判別することができる。
請求項６に係る発明によれば、選択された順序が遅い項目ほど優先的に表示させる構成を備えない場合と比べて、選択された順序が遅い項目ほど表示されやすくすることができる。
【図面の簡単な説明】
【０００９】
【図１】実施形態の構成の全体を示す図。
【図２】プリントサーバ１のハードウェア構成を示すブロック図。
【図３】プリントサーバ１の機能を示すブロック図。
【図４】プリントサーバ１が実行するリスト表示処理の手順を示す流れ図。
【図５】表示されたリストの一例を示す図。
【図６】印刷指示が選択された様子を示す図。
【図７】リストの表示を更新した例を示す図。
【発明を実施するための形態】
【００１０】
本発明を実施するための形態の一例について説明する。
図１は、実施形態の構成の全体を示す図である。ＬＡＮには、プリントサーバ１、印刷装置２、複数のクライアント装置３が接続されている。プリントサーバ１は、本発明に係る情報処理装置の一例である。プリントサーバ１は、スプーラを備え、クライアント装置３から受信した印刷指示をスプーラに蓄積し、受信した順に印刷指示を印刷装置２に出力する。
【００１１】
図２は、プリントサーバ１のハードウェア構成を示すブロック図である。制御部１１は、ＣＰＵ（Central Processing Unit）などの演算装置と、ＲＯＭ（Read Only Memory）やＲＡＭ（Random Access Memory）などの記憶装置とを備える。ＲＯＭには、ハードウェアやＯＳ（Operating System）の起動の手順を記述したファームウェアが記憶される。ＲＡＭには、ＣＰＵが演算を実行する際のデータが記憶される。記憶部１２は、ハードディスク記憶装置や半導体メモリなどを備え、ＯＳやアプリケーションプログラムなどが記憶される。通信部１３は、プリントサーバ１をＬＡＮ（Local Area Network）などの通信手段に接続するための通信Ｉ／Ｆ（Interface）である。
【００１２】
プリントサーバ１には、表示装置１４と受付装置１５が接続される。表示装置１４は、例えば液晶表示装置を備え、操作者がプリントサーバ１を操作するためのＧＵＩ（Graphical User Interface）の画面などを表示する。受付装置１５は、例えばキーボードやポインティングデバイスなどを備え、操作者が行った操作を受け付け、その操作に応じた情報を制御部１１に出力する。ポインティングデバイスは、例えば、マウス、タッチパッド、表示装置１４の表示面を覆うように設けられたタッチパネルなどである。なお、表示装置１４や受付装置１５がプリントサーバ１と一体化されていてもよい。また、プリントサーバ１が印刷装置２に内蔵されていてもよい。
【００１３】
図３は、実施形態に係るプリントサーバ１の機能を示すブロック図である。プリントサーバ１は、表示中のリストに含まれる項目の選択を受け付ける第１受付手段１０１と、検索条件の設定を受け付ける第２受付手段１０２と、選択された前記項目が当該項目の選択後に設定された前記検索条件を満たす場合に、当該検索条件による検索結果を表し、且つ当該項目が選択された状態が維持されるように、前記リストの表示を更新する更新手段１０３とを備える。この構成によって実現される処理の具体例を示すと以下のとおりである。
【００１４】
図４は、プリントサーバ１が実行するリスト表示処理の手順を示す流れ図である。本発明においては、情報処理装置が出力する種々のリストをリスト表示処理の対象とするが、本実施形態では、リスト表示処理の対象とするリストの一例として、スプーラに蓄積された印刷指示のリストの例を示す。リストに含まれる印刷指示の各々は、リストに含まれる項目の一例である。プリントサーバ１には、リスト表示処理の手順を記述したアプリケーションプログラムがインストールされている。ユーザがスプーラに蓄積された印刷指示のリスト表示の指示をプリントサーバ１に与えると、プリントサーバ１の制御部１１がこのアプリケーションプログラムに従って以下の処理を実行する。
【００１５】
＜ステップＳ０１＞
制御部１１が、リストの表示を更新する。具体的には、以下のとおりである。リスト表示処理の開始後の１回目のステップＳ０１においては、ステップＳ０２以降の処理は未実行であるから、制御部１１が、スプーラに蓄積された印刷指示を初期設定で指定された順番（例えば、プリントサーバ１が印刷指示の受信を開始した日時の順番）で並べたリストを作成し、このリストを表示装置１４に表示させる。リスト表示処理の開始後の２回目以降のステップＳ０１においては、制御部１１が、ステップＳ０２以降の処理の結果に応じてリストの表示を更新する。
【００１６】
図５は、表示されたリストの一例を示す図である。この図は、リスト表示処理の開始後の１回目のステップＳ０１における表示例であり、ユーザによる印刷指示の選択が行われる前の状態を示している。スプーラに蓄積された印刷指示の各々には、「ＩＤ」、「ジョブ名」、「サイズ」、「受信開始日時」、「部数」、「原稿ページ数」などの情報（以下、関連情報という。）が関連付けられており、実際に表示されるリストの内容は、この関連情報である。「ＩＤ」は、印刷指示の各々に固有の識別子である。「ジョブ名」は、印刷指示に付与された名称である。「サイズ」は、印刷指示のデータ量である。「受信開始日時」は、プリントサーバ１によって印刷指示の受信が開始された日時である。この例では、１４項目分の表示範囲が設けられているが、表示範囲を超える数の印刷指示がリストに含まれる場合には、最初に先頭から表示範囲に収まる数の印刷指示（この例では、１４項目）が表示され、それ以外の印刷指示は、画面をスクロールさせることによって表示される。画面のスクロールは、画面上のスクロールバー、マウスのホイールなどを用いて行われる。
【００１７】
＜ステップＳ０２＞
制御部１１が、選択された印刷指示のＩＤをＲＡＭに保持する。具体的には、制御部１１が、表示中のリスト上で選択されている印刷指示を抽出する。印刷指示の選択は、ユーザが受付装置１５（マウス、タッチパッド、タッチパネル、キーボードのカーソルキーとリターンキーなど）を用いて行う。制御部１１は、選択された印刷指示を示す情報を受け付ける（第１受付手段１０１の一例）。制御部１１は、選択された印刷指示に、選択されていない印刷指示と異なる外観を付与する。制御部１１は、選択された印刷指示のＩＤを、リスト表示処理の開始後にそのＩＤが選択された順序を示す情報（順序情報）と対応付けてＲＡＭに保持する。ＲＡＭに保持されたＩＤと順序情報の組を選択情報と呼ぶ。
【００１８】
図６は、印刷指示が選択された様子を示す図である。この例では、選択された印刷指示が、文字の色と背景の色とを反転させて表示されている（反転表示）。この例では、ＩＤ「７６４」に対応する印刷指示が選択されているため、制御部１１は、ＩＤ「７６４」と順序情報とを対応付けた選択情報をＲＡＭに保持する。選択された印刷指示に対してユーザが選択の操作を再び行うと、選択が解除される。具体的には、制御部１１が、その印刷指示の外観を選択前の外観に戻し、その印刷指示に対応する選択情報をＲＡＭから削除する。
【００１９】
＜ステップＳ０３＞
制御部１１が、検索の指示の有無を判定する。具体的には、リストの上方左側に設けられたテキストボックス（内部に「ジョブ名を入力」と表示されているテキストボックス）が、検索条件を入力するための領域である。検索条件が入力され、「詳細検索」ボタンが操作されると、制御部１１が、検索の指示が与えられたと判定し、検索条件の設定を受け付ける（第２受付手段１０２の一例）。検索の指示が与えられた場合（ステップＳ０３：ＹＥＳ）には、制御部１１の処理はステップＳ０４に進む。検索の指示が与えられなかった場合（ステップＳ０３：ＮＯ）には、制御部１１の処理はステップＳ０２に戻る。
【００２０】
＜ステップＳ０４＞
制御部１１が、検索を実行し、検索結果を表すリストを保存する。具体的には、制御部１１が、設定された検索条件を満たす印刷指示をスプーラから抽出し、抽出された印刷指示で構成されるリストを作成し、作成したリストを記憶部１２に記憶させる。また、このリストに含まれる印刷指示の各々には、例えば選択状態フラグが関連付けられる。選択状態フラグの初期値は「０」である。選択状態フラグが「０」である場合、その印刷指示が選択されていないことを示す。
【００２１】
＜ステップＳ０５＞
制御部１１が、ＲＡＭに保持している全てのＩＤの判定が完了したか否かを判定する。具体的には、制御部１１は、リスト表示処理の開始後にステップＳ０７の判定処理を実行した回数をカウンタで累計する。制御部１１は、カウンタ値とＲＡＭに保持している選択情報の総数とを比較し、カウンタ値が選択情報の総数に達したならば、ＲＡＭに保持している全てのＩＤの判定が完了したと判定する。ＲＡＭに保持している全てのＩＤの判定が完了したならば（ステップＳ０５：ＹＥＳ）、制御部１１の処理はステップＳ０１に戻る。ＲＡＭに保持している全てのＩＤの判定が完了していないならば（ステップＳ０５：ＮＯ）、制御部１１の処理はステップＳ０６に進む。
【００２２】
＜ステップＳ０６＞
制御部１１が、ＲＡＭに保持しているＩＤを１つ読み出す。具体的には、カウンタ値＋１に等しい順序情報に対応するＩＤをＲＡＭから読み出す。
【００２３】
＜ステップＳ０７＞
制御部１１が、当該ＩＤが検索結果のリストに含まれているか否かを判定する。具体的には、ステップＳ０６で読み出したＩＤが、ステップＳ０４で作成したリストに含まれているならば、制御部１１が、当該ＩＤが検索結果のリストに含まれていると判定する。当該ＩＤが検索結果のリストに含まれている場合（ステップＳ０７：ＹＥＳ）には、制御部１１の処理はステップＳ０８に進む。当該ＩＤが検索結果のリストに含まれていない場合（ステップＳ０７：ＮＯ）には、制御部１１の処理はステップＳ０５に戻る。
【００２４】
＜ステップＳ０８＞
制御部１１が、当該印刷指示を選択状態にする。具体的には、制御部１１が、ステップＳ０７で検索結果のリストに含まれていると判定されたＩＤに関連付けられた選択状態フラグを「１」に書き換える。
【００２５】
＜ステップＳ０９＞
制御部１１は、当該印刷指示をリストの先頭に配置する。具体的には、制御部１１が、ステップＳ０７で検索結果のリストに含まれていると判定されたＩＤに対応する印刷指示をリストの先頭に配置する。この処理が完了したならば、制御部１１の処理はステップＳ０５に戻る。
ステップＳ０５においてＲＡＭに保持している全てのＩＤの判定が完了したならば（ステップＳ０５：ＹＥＳ）、制御部１１の処理はステップＳ０１に戻る。ステップＳ０１においては、制御部１１が、リストの表示を更新する（更新手段１０３の一例）。このとき、制御部１１は、選択状態フラグが「１」である印刷指示に、選択状態フラグが「０」である印刷指示と異なる外観を付与し、リストの先頭から表示範囲に収まる数の印刷指示を表示させる。
【００２６】
図７は、リストの表示を更新した例を示す図である。この例は、ステップＳ０２においてＩＤ「７６４」に対応する印刷指示が選択され（図６参照）、ステップＳ０３において検索条件として「(5)」が設定された例である。この場合、ステップＳ０４においてジョブ名に「(5)」が含まれる印刷指示が抽出される。この例では、ジョブ名に「(5)」が含まれる複数の印刷指示が抽出されている。検索条件を満たす印刷指示が複数抽出された場合には、抽出された印刷指示が受信開始日時の昇順に並べられる。受信開始日時が同じ印刷指示が複数ある場合には、受信開始日時が同じ印刷指示がＩＤの昇順に並べられる。
【００２７】
次に、ステップＳ０７において、ＩＤ「７６４」が検索結果のリストに含まれていると判定され、ステップＳ０８において、ＩＤ「７６４」に関連付けられた選択状態フラグが「１」に書き換えられ、ステップＳ０９において、ＩＤ「７６４」に対応する印刷指示がリストの先頭に配置される。以上の処理が完了すると、ステップＳ０１において、リストの表示が更新される（図７参照）。この例は、ＩＤ「７６４」に対応する印刷指示を図６と同様に反転表示した例であるが、例えば、文字を太字などの書体で表示したり、背景の色を異ならせるなど、反転表示以外の形態で表示してもよい。要するに、リストの更新前に印刷指示が選択されていた場合に、その印刷指示が選択された状態が維持されるようにリストの表示が更新されればよい。
【００２８】
以上、説明したとおり、本実施形態によれば、表示中のリストから選択された項目がその項目の選択後に受け付けられた検索条件を満たす場合に、その検索条件による検索結果を表すリスト上でその項目が選択された状態が維持されるようにリストの表示が更新される。
【００２９】
上記の実施形態を以下の変形例のように変形してもよい。複数の変形例を組み合せてもよい。
【００３０】
＜変形例１＞
実施形態では、選択された印刷指示をリストの先頭に配置する例を示したが、リストがスクロールされた場合でも、選択された印刷指示が常に表示されるようにしてもよい。例えば、リストがスクロールされた場合に、制御部１１が、表示されている複数の印刷指示の位置を１段ずつ下にずらし、選択された印刷指示を表示範囲の最上段に配置してもよい。また、選択された印刷指示を表示範囲の中央や最下段などに配置してもよい。
【００３１】
選択された印刷指示をリストの先頭に配置する場合、当該選択された印刷指示が新たな検索条件を満たす検索結果における配置位置、例えば検索結果をリスト項目の「受信開始日時」が降順になるように表示する場合の配置位置を維持した状態で、リストの先頭になるように表示範囲を決定してもよい。この場合、当該選択された印刷指示の前にも新たな検索条件を満たす検索結果があるが、これらは表示範囲から見えない状態になっている。それらを表示するには、ユーザは表示範囲を動かすためのスクロールバーなどを操作することになる。なお、新たな検索条件を満たす検索結果がリストの表示範囲に収まってしまう場合、選択された印刷指示は当該検索結果の他の印刷指示とは異なる外観で表示されていれば必ずしもリストの先頭に配置されなくてもよい。
【００３２】
＜変形例２＞
実施形態では、選択された印刷指示のＩＤを、リスト表示処理の開始後にそのＩＤが選択された順序を示す順序情報と対応付けてＲＡＭに保持する例を示したが（ステップＳ０２参照）、順序情報に基づいて印刷指示を配置するようにしてもよい。この構成によれば、複数の印刷情報が選択された場合に、選択の順序に応じて複数の印刷指示が配置される。
【００３３】
具体的には、複数の印刷情報が選択された場合に、選択された複数の印刷指示のうち選択の順序の最も遅い印刷指示を表示範囲の最上段に配置し、それに続けて、選択された他の印刷指示を選択の順序の遅い順に配置してもよい。この構成によれば、選択された順序が遅い項目ほど優先的に表示される。あるいは、選択された複数の印刷指示のうち選択の順序の最も早い印刷指示を表示範囲の最上段に配置し、それに続けて、選択された他の印刷指示を選択の順序の早い順に配置してもよい。この構成によれば、選択された順序が速い項目ほど優先的に表示される。
【００３４】
＜変形例３＞
実施形態では、選択された印刷指示のＩＤを順序情報と対応付けて選択情報としてＲＡＭに保持する例を示したが、保持した選択情報をステップＳ０１又はステップＳ０７の実行後にＲＡＭから削除してもよい。
＜変形例４＞
【００３５】
実施形態では、リスト表示処理の対象とするリストの一例として、スプーラに蓄積された印刷指示のリストの例を示したが、リスト表示処理の対象とするリストは、印刷装置２が実行した印刷指示のリストや、プリントサーバ１が実行した処理の履歴のリストなど、情報処理装置が出力するいかなるリストでもよい。
＜変形例５＞
【００３６】
実施形態では、選択された印刷指示を反転表示させる例を示したが、選択された印刷指示を選択されていない印刷指示と異なる色、異なる書体、異なる大きさ、異なる太さの文字などで表示させるようにしてもよい。また、選択された印刷指示に、その印刷指示が選択されたことを示す記号、文字、図形などを付加するようにしてもよい。
＜変形例６＞
【００３７】
上記の実施形態ではリスト表示処理の機能をソフトウェアで実現する例を示したが、この機能の一部又は全部をハードウェア回路で実現してもよい。また、このソフトウェアを、光記録媒体や半導体メモリなど、コンピュータで読み取り可能な記録媒体に記録して提供し、この記録媒体からソフトウェアを読み取ってインストールするようにしてもよい。また、このソフトウェアを電気通信回線で提供してもよい。
【符号の説明】
【００３８】
１…プリントサーバ、１１…制御部、１２…記憶部、１３…通信部、１４…表示装置、１５…受付装置、１６…外部Ｉ／Ｆ部、１０１…第１受付手段、１０２…第２受付手段、１０３…更新手段、２…印刷装置、３…クライアント装置
【図１】
2018018314.tif 000003
【図２】
2018018314.tif 000004
【図３】
2018018314.tif 000005
【図４】
2018018314.tif 000006
【図５】
2018018314.tif 000007
【図６】
2018018314.tif 000008
【図７】
2018018314.tif 000009